(57)【要約】      （修正有）【課題】容易且つ正確に果物を包装し、作業時間を短縮できる果物保護用袋を提供する。【解決手段】内部に果物が収納される収納空間が形成され、上部に果物が投入される投入口が形成された袋胴体１１０、前記投入口の両側に互いに向かい合うように前記投入口にそれぞれ結合され、両端部に作用する外力によって前記投入口を開閉し、両端部に作用する外力によって外側に折り曲げられる折曲部１２１、１３１が中央部に形成された圧着部材１２０、１３０、圧着部材の両端部に作用する外力によって圧着部材の折曲部が外側に折り曲げられた状態で、折曲部を基準にして区画される圧着部材の第１の側部と第２の側部とを互いに密着固定させる密着固定部、を含んで果物保護用袋１００を構成する。【選択図】図２
2016178920.tif 000002
【特許請求の範囲】
【請求項１】
内部に果物が収納される収納空間が形成され、上部に果物が投入される投入口が形成された袋胴体；
前記投入口の両側に互いに向かい合うように前記投入口にそれぞれ結合され、両端部に作用する外力によって前記投入口を開閉し、両端部に作用する外力によって外側に折り曲げられる折曲部が中央部に形成された第１の圧着部材と第２の圧着部材；
前記第１の圧着部材と前記第２の圧着部材の両端部に作用する外力によって前記第１の圧着部材の折曲部が外側に折り曲げられた状態で、前記第１の圧着部材の折曲部を基準にして区画される第１の圧着部材の第１の側部と第２の側部とを互いに密着固定させる第１の密着固定部；及び
前記第１の圧着部材と前記第２の圧着部材の両端部に作用する外力によって前記第２の圧着部材の折曲部が外側に折り曲げられた状態で、前記第２の圧着部材の折曲部を基準にして区画される第２の圧着部材の第１の側部と第２の側部とを互いに密着固定させる第２の密着固定部；を含むことを特徴とする果物保護用袋。
【請求項２】
前記第１の密着固定部は、前記第１の圧着部材の第１の側部に形成され、内側に向かって突起する突起部と、前記第１の圧着部材の第２の側部に形成され、前記突起部が挿入される収容部と、を含み、
前記第２の密着固定部は、前記第２の圧着部材の第１の側部に形成され、内側に向かって突起する突起部と、前記第２の圧着部材の第２の側部に形成され、前記突起部が挿入される収容部と、を含むことを特徴とする、請求項１に記載の果物保護用袋。
【請求項３】
前記第１の圧着部材と前記第２の圧着部材が折り曲げられていない状態で、
前記第１の圧着部材に形成された第１の密着固定部と前記第２の圧着部材に形成された第２の密着固定部は、互いに一定距離だけオフセットされるように形成されることを特徴とする、請求項１に記載の果物保護用袋。
【請求項４】
前記第１の圧着部材と前記第２の圧着部材は、
前記第１及び第２の圧着部材の第１の側部に水平方向に沿って長く形成され、袋の内側に向かって突出し、袋の外側では陥没するように形成された第１の突出部と、前記第１及び第２の圧着部材の第２の側部に水平方向に沿って長く形成され、袋の外側に向かって突出し、袋の内側では陥没するように形成された第２の突出部と、をさらに含むことを特徴とする、請求項１に記載の果物保護用袋。
【請求項５】
前記第１の圧着部材と前記第２の圧着部材は、前記第１の側部に一定長さだけ切開されて形成された第１の切開部と、前記第２の側部に一定長さだけ切開されて形成された第２の切開部と、をさらに含み、
前記第１の密着固定部と前記第２の密着固定部は、前記第１の側部と前記第２の側部とが互いに密着するとき、前記第１の切開部と前記第２の切開部に共に嵌められる胴体部と、前記胴体部が前記第１の切開部と前記第２の切開部から離脱しないように前記胴体部の断面より大きく形成された段部と、を備える固定部材を含むことを特徴とする、請求項１に記載の果物保護用袋。
【請求項６】
前記第１の圧着部材と前記第２の圧着部材は、前記第１及び第２の圧着部材の第１の側部に水平方向に沿って長く形成され、袋の内側に向かって突出し、袋の外側では陥没するように形成された第１の突出部と、前記第１及び第２の圧着部材の第２の側部に水平方向に沿って長く形成され、袋の外側に向かって突出し、袋の内側では陥没するように形成された第２の突出部と、をさらに含み、
前記第１の切開部は前記第１の突出部に形成され、前記第２の切開部は前記第２の突出部に形成されることを特徴とする、請求項５に記載の果物保護用袋。
【請求項７】
前記第１の圧着部材と前記第２の圧着部材は、
前記第１の圧着部材と前記第２の圧着部材の両端部に形成され、前記収納空間に前記果物が収納された後、前記第１の圧着部材の第１の側部と第２の側部とが互いに密着固定され、前記第２の圧着部材の第１の側部と第２の側部とが互いに密着固定された状態で、前記果物の茎を収容できる収容溝をさらに含むことを特徴とする、請求項１に記載の果物保護用袋。
【請求項８】
前記袋胴体は、前記投入口の下側に形成される中央胴体と、前記中央胴体の両側に配置される側部胴体と、を含み、
前記側部胴体は、前記中央胴体の外側に折れた状態で保管されることを特徴とする、請求項１に記載の果物保護用袋。
【請求項９】
前記袋胴体は、前記投入口の下側に形成される中央胴体と、前記中央胴体の両側に配置される側部胴体と、を含み、
前記側部胴体は、前記中央胴体の内側に折れた状態で保管されることを特徴とする、請求項１に記載の果物保護用袋。
【請求項１０】
前記袋胴体は、その中央部に外側に折れる折り目を備えることを特徴とする、請求項１に記載の果物保護用袋。
【発明の詳細な説明】
【技術分野】
【０００１】
本発明は、果物保護用袋に関し、より詳細には、害虫を防止し、農薬の接触を遮断するために、果物を包みながら果物を栽培できる果物保護用袋に関する。
【背景技術】
【０００２】
一般に、果物保護用袋は、果樹園などで栽培される果物を鳥類、病虫害、日光または農薬から保護するために果物を包むものであって、このような果物保護用袋は、ビニールまたは紙で形成される。
【０００３】
図１は、従来の果物保護用袋を示した図である。
【０００４】
図１に示したように、従来の果物保護用袋１０は、前面紙１１と後面紙１２とが重なった状態で両側面と下側面は接合され、上部には果物保護用袋１０の外部に向かって開口された投入口１３が形成される。このような投入口１３は、果物２０のサイズより大きく形成され、果物２０が果物保護用袋１０の内部に入り込むように案内する役割をする。
【０００５】
また、投入口１３と隣接した果物保護用袋１０の一面には、果物２０が投入される方向と垂直な方向に延長される固定部材１４が備えられる。このような固定部材１４は、果物保護用袋１０が果物２０を包んだ状態を維持するように、果物２０に付いた果物の茎２１を包んだ状態で両端が互いによじられて結束される。
【０００６】
このような構成を有する従来の果物保護用袋１０は、作業者が果物２０を包む前に投入口１３を広げ、果物２０が入り込む空間を確保するためには、果物保護用袋１０がビニールまたは紙などの薄い材質からなり、作業者は投入口１３を両手でつかんで広げたり、投入口１３を手で揉まなければならない。この場合、作業者が果物２０を包むのに長い時間がかかるだけでなく、梯子の上のように高い位置で作業する場合、両手を自由に使いにくいという問題がある。
【０００７】
また、果物保護用袋１０で果物２０を包むためには、果物の茎２１を片手でつかんだ状態で固定部材１４を果物の茎２１と共に結束しなければならないが、この場合にも、果物の茎２１を逃したり、固定部材１４を確実に結束できないことから、果物２０が果物保護用袋１０から逸脱するという問題がある。
【先行技術文献】
【特許文献】
【０００８】
【特許文献１】韓国登録特許第０３３６９４４号公報（２００２．０５．０３登録、発明の名称：果物袋）
【発明の概要】
【発明が解決しようとする課題】
【０００９】
したがって、本発明が解決しようとする課題は、このような従来の問題を解決するために、投入口に設置された圧着部材に折曲部を形成し、片手でも果物の包装が可能になるように袋の構造を改善することによって、より容易且つ正確に果物を包装し、作業時間を短縮できる果物保護用袋を提供することにある。
【課題を解決するための手段】
【００１０】
前記のような目的を達成するために、本発明の果物保護用袋は、内部に果物が収納される収納空間が形成され、上部に果物が投入される投入口が形成された袋胴体；前記投入口の両側に互いに向かい合うように前記投入口にそれぞれ結合され、両端部に作用する外力によって前記投入口を開閉し、両端部に作用する外力によって外側に折り曲げられる折曲部が中央部に形成された第１の圧着部材と第２の圧着部材；前記第１の圧着部材と前記第２の圧着部材の両端部に作用する外力によって前記第１の圧着部材の折曲部が外側に折り曲げられた状態で、前記第１の圧着部材の折曲部を基準にして区画される第１の圧着部材の第１の側部と第２の側部とを互いに密着固定させる第１の密着固定部；及び前記第１の圧着部材と前記第２の圧着部材の両端部に作用する外力によって前記第２の圧着部材の折曲部が外側に折り曲げられた状態で、前記第２の圧着部材の折曲部を基準にして区画される第２の圧着部材の第１の側部と第２の側部とを互いに密着固定させる第２の密着固定部；を含むことを特徴とする。
【００１１】
本発明に係る果物保護用袋において、前記第１の密着固定部は、前記第１の圧着部材の第１の側部に形成され、内側に向かって突起する突起部と、前記第１の圧着部材の第２の側部に形成され、前記突起部が挿入される収容部とを含み、前記第２の密着固定部は、前記第２の圧着部材の第１の側部に形成され、内側に向かって突起する突起部と、前記第２の圧着部材の第２の側部に形成され、前記突起部が挿入される収容部とを含んでもよい。
【００１２】
本発明に係る果物保護用袋において、前記第１の圧着部材と前記第２の圧着部材が折り曲げられていない状態で、前記第１の圧着部材に形成された第１の密着固定部と前記第２の圧着部材に形成された第２の密着固定部とは互いに一定距離だけオフセットされるように形成されてもよい。
【００１３】
本発明に係る果物保護用袋において、前記第１の圧着部材と前記第２の圧着部材は、前記第１及び第２の圧着部材の第１の側部に水平方向に沿って長く形成され、袋の内側に向かって突出し、袋の外側には陥没されるように形成された第１の突出部と、前記第１及び第２の圧着部材の第２の側部に水平方向に沿って長く形成され、袋の外側に向かって突出し、袋の内側には陥没されるように形成された第２の突出部とをさらに含んでもよい。
【００１４】
本発明に係る果物保護用袋において、前記第１の圧着部材と前記第２の圧着部材は、前記第１の側部に一定長さだけ切開されて形成された第１の切開部と、前記第２の側部に一定長さだけ切開されて形成された第２の切開部とをさらに含み、前記第１の密着固定部と前記第２の密着固定部は、前記第１の側部と前記第２の側部とが互いに密着するとき、前記第１の切開部と前記第２の切開部に共に嵌められる胴体部と、前記胴体部が前記第１の切開部と前記第２の切開部から離脱しないように前記胴体部の断面より大きく形成された段部とを備える固定部材を含んでもよい。
【００１５】
本発明に係る果物保護用袋において、前記第１の圧着部材と前記第２の圧着部材は、前記第１及び第２の圧着部材の第１の側部に水平方向に沿って長く形成され、袋の内側に向かって突出し、袋の外側では陥没するように形成された第１の突出部と、前記第１及び第２の圧着部材の第２の側部に水平方向に沿って長く形成され、袋の外側に向かって突出し、袋の内側では陥没するように形成された第２の突出部とをさらに含み、前記第１の切開部は前記第１の突出部に形成され、前記第２の切開部は前記第２の突出部に形成されてもよい。
【００１６】
本発明に係る果物保護用袋において、前記第１の圧着部材と前記第２の圧着部材は、前記第１の圧着部材と前記第２の圧着部材の両端部に形成され、前記収納空間に前記果物が収納された後、前記第１の圧着部材の第１の側部と第２の側部とが互いに密着固定され、前記第２の圧着部材の第１の側部と第２の側部とが互いに密着固定された状態で、前記果物の茎を収容できる収容溝をさらに含んでもよい。
【００１７】
本発明に係る果物保護用袋において、前記袋胴体は、前記投入口の下側に形成される中央胴体と、前記中央胴体の両側に配置される側部胴体とを含み、前記側部胴体は、前記中央胴体の外側に折れた状態で保管されてもよい。
【００１８】
本発明に係る果物保護用袋において、前記袋胴体は、前記投入口の下側に形成される中央胴体と、前記中央胴体の両側に配置される側部胴体とを含み、前記側部胴体は、前記中央胴体の内側に折れた状態で保管されてもよい。
【００１９】
本発明に係る果物保護用袋において、前記袋胴体は、その中央部に外側に折れる折り目を備えてもよい。
【発明の効果】
【００２０】
本発明の果物保護用袋によると、より容易且つ正確に果物を包装し、作業時間を短縮させることができる。
【００２１】
また、本発明の果物保護用袋によると、突起部と収容部との結合が容易になり、結合後にも結合力がより強くなり得る。
【００２２】
また、本発明の果物保護用袋によると、包装作業前の保管状態で袋の投入口部分が互いに結合されなくなり、果物の包装作業時にも不要な労動の所要を減少させることができる。
【００２３】
また、本発明の果物保護用袋によると、雨や雪による果物の損傷を防止することができる。
【図面の簡単な説明】
【００２４】
【図１】従来の果物保護用袋を示した図である。
【図２】本発明の一実施例に係る果物保護用袋を示した図である。
【図３】図２の果物保護用袋の動作状態を示した図である。
【図４】図２の果物保護用袋における第１の圧着部材と第２の圧着部材の動作状態を示した図である。
【図５】図２の果物保護用袋における第１及び第２の密着固定部の収容部を示した図である。
【図６】図２の果物保護用袋における第１の突出部及び第２の突出部を拡大した図である。
【図７】図２の果物保護用袋における突起部の変形例を示した図である。
【図８】本発明の他の実施例に係る果物保護用袋における第１の圧着部材と第２の圧着部材の動作状態を示した図である。
【図９】図８のＩＸ―ＩＸ’線断面図である。
【図１０】本発明のまた他の実施例に係る果物保護用袋の袋胴体を示した図である。
【発明を実施するための形態】
【００２５】
以下、本発明に係る果物保護用袋の各実施例を添付の図面を参照して詳細に説明する。
【００２６】
図２は、本発明の一実施例に係る果物保護用袋を示した図で、図３は、図２の果物保護用袋の動作状態を示した図で、図４は、図２の果物保護用袋における第１の圧着部材と第２の圧着部材の動作状態を示した図で、図５は、図２の果物保護用袋における第１及び第２の密着固定部の収容部を示した図で、図６は、図２の果物保護用袋における第１の突出部及び第２の突出部を拡大した図である。
【００２７】
図２〜図６を参照すると、本実施例に係る果物保護用袋１００は、害虫を防止し、農薬の接触を遮断するために、果物を包みながら果物を栽培できるものであって、袋胴体１１０と、第１の圧着部材１２０と、第２の圧着部材１３０と、第１の密着固定部１４０と、第２の密着固定部１５０とを含む。
【００２８】
前記袋胴体１１０は、内部に果物２０が収納される収納空間が形成され、上部に果物２０が投入される投入口１１１が形成される。
【００２９】
図２を参照すると、袋胴体１１０は、前面紙と後面紙とが互いに向かい合うように配置され、前面紙と後面紙の両側部及び下部が接合された状態で内部に果物２０が収納される収納空間が形成され、前面紙と後面紙の上部に投入口１１１が形成されてもよい。収納空間は、前面紙と後面紙との間に果物２０が収納されるまたは果物２０の成長時、果物２０の体積によって膨れ上がる空間を意味する。このような袋胴体１１０は、紙またはビニールなどの材質で製作されてもよい。
【００３０】
一方、袋胴体１１０は、投入口１１１の下側に形成される中央胴体１１２と、中央胴体１１２の両側に配置される側部胴体１１３とを含んで構成されてもよいが、側部胴体１１３は、中央胴体１１２の外側に折れた状態で保管されてもよい。すなわち、袋胴体１１０を保管中であるか、最初のサイズが小さい状態の果物２０を包装するときは、側部胴体１１３が中央胴体１１２の外側に折られた状態であるが、果物２０の成長と共に、図２に示したように、２個の側部胴体１１３が徐々に広がる。このように、側部胴体１１３が中央胴体１１２の外側に折れた状態で袋胴体１１０を保管することによって、果物保護用袋１００の最初のサイズを減少させ、作業者が容易に作業することができる。
【００３１】
袋胴体１１０は、その中央部に外側に折れる折り目１１６を備えてもよい。予め袋胴体１１０に折り目１１６を形成しておくと、袋胴体１１０の内部に果物２０を収納する過程で袋胴体１１０が広がる方向が予め設定され、失敗することなく容易に袋胴体１１０を広げ、その内部に果物２０を収納することができる。
【００３２】
前記第１の圧着部材１２０と第２の圧着部材１３０は、投入口１１１の両側に互いに向かい合うように投入口１１１にそれぞれ結合され、両端部に作用する外力によって投入口１１１を開閉するようになる。
【００３３】
図３を参照すると、第１の圧着部材１２０は前面紙の上端に接合され、第２の圧着部材１３０は、第１の圧着部材１２０に対応する位置で後面紙の上端に接合されてもよい。また、第１の圧着部材１２０と第２の圧着部材１３０は、それぞれ薄いバンド形状を有し、弾力性に優れた材質からなり、作業者の両手の指などによって両端部に外力が加えられると、投入口１１１を広げる役割をすることができる。
【００３４】
このような第１の圧着部材１２０と第２の圧着部材１３０は、ＰＥＴ（Ｐｏｌｙｅｔｈｙｌｅｎｅ  Ｔｅｒｅｐｈｔｈａｌａｔｅ）材質からなってもよいが、これに限定されるものではなく、弾力性に優れた材質であればいずれも適用可能である。第１の圧着部材１２０と第２の圧着部材１３０は、実質的に同一の構造を有してもよい。
【００３５】
本実施例の第１の圧着部材１２０と第２の圧着部材１３０は、中央部に折曲部１２１、１３１が形成されたことを特徴とする。
【００３６】
図３の（ａ）に示したように、第１の圧着部材１２０と第２の圧着部材１３０の両端部に片手で、例えば、親指と人差し指を用いて外力を加えると、第１の圧着部材１２０の折曲部１２１と第２の圧着部材１３０の折曲部１３１は、外側に、すなわち、投入口１１１が広がる方向に折り曲げられる。このとき、投入口１１１が広がった状態で袋胴体１１０を果物２０に接近させ、果物２０が袋胴体１１０の収納空間に収容されるようにして果物２０を包むことができる。
【００３７】
その後、図３の（ｂ）に示したように、第１の圧着部材１２０と第２の圧着部材１３０の両端部に持続的な外力を加えると、第１の圧着部材１２０の折曲部１２１と第２の圧着部材１３０の折曲部１３１が完全に折り曲げられながら第１の圧着部材１２０と第２の圧着部材１３０とがそれぞれ密着し得る。
【００３８】
第１の圧着部材１２０は、第１の圧着部材１２０の折曲部１２１を基準にして第１の側部１２２と第２の側部１２３とに区画できるが、第１の圧着部材１２０の折曲部１２１が図３の（ｂ）に示したように完全に折り曲げられると、第１の圧着部材１２０の第１の側部１２２と第２の側部１２３とが互いに密着し得る。同様に、第２の圧着部材１３０も、第２の圧着部材１３０の折曲部１３１を基準にして第１の側部１３２と第２の側部１３３とに区画できるが、第２の圧着部材１３０の折曲部１３１も図３の（ｂ）に示したように完全に折り曲げられると、第２の圧着部材１３０の第１の側部１３２と第２の側部１３３とが互いに密着し得る。
【００３９】
本実施例において、第１の圧着部材１２０の折曲部１２１と第２の圧着部材１３０の折曲部１３１が外側に容易に折り曲げられるためには、第１の圧着部材の折曲部１２１の厚さが第１の圧着部材の第１の側部１２２と第２の側部１２３の厚さより薄く形成されることが好ましい。また、第２の圧着部材の折曲部１３１の厚さも、第２の圧着部材の第１の側部１３２と第２の側部１３３の厚さより薄く形成されることが好ましい。
【００４０】
折曲部１２１の厚さを相対的に薄く形成する方法の代わりに、第１の圧着部材１２０を２個の部分に分割して形成してもよい。すなわち、第１の圧着部材の第１の側部１２２と第２の側部１２３を一定間隔だけ離隔するように形成することによって、折曲部１２１に該当する部分にはＰＥＴ材質を接合させないこともできる。第２の圧着部材の折曲部１３１は前記と同一に形成してもよい。
【００４１】
前記第１の密着固定部１４０は、第１の圧着部材の折曲部１２１を基準にして区画される第１の圧着部材の第１の側部１２２と第２の側部１２３とを互いに密着固定させる。
【００４２】
第１の圧着部材の折曲部１２１と第２の圧着部材の折曲部１３１とが外側に折り曲げられ、第１の圧着部材の第１の側部１２２と第２の側部１２３とが密着した状態及び第２の圧着部材の第１の側部１３２と第２の側部１３３とが密着した状態をそれぞれ固定させないと、第１の圧着部材１２０と第２の圧着部材１３０は弾性によって再び初期状態に復帰するようになる。よって、第１の密着固定部１４０を用いて第１の圧着部材の折曲部１３１が外側に折り曲げられた状態で第１の圧着部材の第１の側部１２２と第２の側部１２３とを密着固定させることによって、果物２０の包装作業を完了することができる。第１の密着固定部１４０は、突起部１４１及び収容部１４２を含んでもよい。
【００４３】
突起部１４１は、第１の圧着部材の第１の側部１２２に形成され、内側（第２の圧着部材１３０）に向かって突起するように形成される。収容部１４２は、第１の圧着部材の第２の側部１２３に形成され、突起部１４１が挿入されるように第２の側部１２３に陥没または貫通して形成される。図４を参照すると、第１の圧着部材の折曲部１２１が外側に折り曲げられ、第１の圧着部材の第１の側部１２２と第２の側部１２３とが密着した状態で第１の密着固定部１４０の突起部１４１が収容部１４２に挿入されて結合されることによって、第１の圧着部材の第１の側部１２２と第２の側部１２３とは密着固定され得る。
【００４４】
図５を参照すると、第１の密着固定部の収容部１４２の周囲には多数の切開線１４３が形成されてもよい。多数の切開線１４３は、収容部１４２の周囲に放射状に離隔して配置され、一定長さに形成される。収容部１４２の周囲の多数の切開線１４３によって突起部１４１と収容部１４２との結合が容易になり、結合後にも結合力がより強くなり得る。
【００４５】
前記第２の密着固定部１５０は、第２の圧着部材の折曲部１３１を基準にして区画される第２の圧着部材の第１の側部１３２と第２の側部１３３とを互いに密着固定させる。
【００４６】
第２の密着固定部１５０を用いて第２の圧着部材の折曲部１３１が外側に折り曲げられた状態で第２の圧着部材の第１の側部１３２と第２の側部１３３とを密着固定させてもよく、第２の密着固定部１５０は、突起部１５１及び収容部１５２を含んでもよい。
【００４７】
突起部１５１は、第２の圧着部材の第１の側部１３２に形成され、内側（第１の圧着部材１２０）に向かって突起するように形成される。収容部１５２は、第２の圧着部材の第２の側部１３３に形成され、突起部１５１が挿入されるように第２の側部１３３に陥没または貫通して形成される。図４を参照すると、第２の圧着部材の折曲部１３１が外側に折り曲げられ、第２の圧着部材の第１の側部１３２と第２の側部１３３とが密着した状態で第２の密着固定部１５０の突起部１５１が収容部１５２に挿入されて結合されることによって、第２の圧着部材の第１の側部１３２と第２の側部１３３は密着固定され得る。また、図５を参照すると、第２の密着固定部の収容部１５２の周囲に多数の切開線１４３が形成されてもよい。
【００４８】
図４〜図７において、収容部１４２、１５２は貫通するように図示されたが、陥没するように形成されてもよい。
【００４９】
一方、第１の圧着部材１２０と第２の圧着部材１３０の両端部には収容溝１６３が形成されてもよい。
【００５０】
図４の（ｂ）に示したように、収納空間に果物２０が収納された後、第１の圧着部材の第１の側部１２２と第２の側部１２３とが互いに密着固定され、第２の圧着部材の第１の側部１３２と第２の側部１３３とが互いに密着固定されると、第１の圧着部材１２０、第２の圧着部材１３０及び果物の茎２１は互いに接触するようになる。果物の茎２１を収容できる収容溝がないと、果物の茎２１に過度な圧力が加えられ、成長過程で果物が確実に成長できず落果する事態までもたらし得る。
【００５１】
したがって、第１の圧着部材１２０と第２の圧着部材１３０の両端部に収容溝１６３を形成すると、第１の圧着部材と第２の圧着部材の折曲部１２１、１３１が外側に折り曲げられ、第１の圧着部材１２０と第２の圧着部材１３０とがそれぞれ密着した状態で、収容溝１６３は中央に配置され得る。収容溝１６３によって果物の茎２１が圧力を受けないと共に、位置固定され、これを通じて果物２０を安全に成長させることができる。
【００５２】
また、第１の密着固定部１４０と第２の密着固定部１５０とは、互いに一定距離だけオフセットされるように形成されてもよい。
【００５３】
図４の（ａ）を参照すると、第１の圧着部材１２０と第２の圧着部材１３０が折り曲げられていない状態で、第１の密着固定部の突起部１４１と第２の密着固定部の収容部１５２は、互いに結合されないように左右方向に一定距離だけオフセットされて形成されている。同様に、第１の密着固定部の収容部１４２と第２の密着固定部の突起部１５１も、互いに結合されないように左右方向に一定距離だけオフセットされて形成されている。
【００５４】
果物の包装作業前には、第１の圧着部材１２０と第２の圧着部材１３０が折り曲げられていない状態で果物保護用用紙１００を保管するが、第１の密着固定部１４０と第２の密着固定部１５０が収容溝１６３から同一の距離だけ離隔して形成されて互いに結合されていると、単純に第１の圧着部材１２０と第２の圧着部材１３０の両端部に外力を加えるだけでは投入口１１１を広げられなくなる。果物の包装作業時、再び第１の密着固定部１４０と第２の密着固定部１５０との結合を解除することを追加的に行わなければならないので、包装作業が煩雑になり、作業時間が延長され得る。よって、図４の（ａ）のように、第１の密着固定部１４０と第２の密着固定部１５０とが一定距離だけオフセットされるように形成され、包装作業前の保管状態で互いに結合されないと、果物の包装作業時には不要な労動の所要を減少させることができる。
【００５５】
図４では、第１の密着固定部１４０と第２の密着固定部１５０とが左右方向に一定距離だけオフセットされるように形成された状態に示したが、上下方向に一定距離だけオフセットされるように形成されてもよい。
【００５６】
図６を参照すると、第１の圧着部材１２０と第２の圧着部材１３０は、第１の突出部１６１及び第２の突出部１６２をそれぞれ含んでもよい。
【００５７】
第１の突出部１６１は、第１及び第２の圧着部材１２０、１３０の第１の側部１２２、１３２に水平方向に沿って長く形成され、袋の内側に向かって突出し、袋の外側では陥没するように形成される。第２の突出部１６２は、第１及び第２の圧着部材の第２の側部１２３、１３３に水平方向に沿って長く形成され、袋の外側に向かって突出し、袋の内側では陥没するように形成される。
【００５８】
第１の圧着部材の第１の側部１２２と第２の側部１２３が密着固定され、第２の圧着部材の第１の側部１３２と第２の側部１３３が密着固定された状態で、第１の突出部１６１の突出部分が第２の突出部１６２の陥没部分に結合されながら第１の圧着部材１２０及び第２の圧着部材１３０の入口を遮断し、袋全体の密封機能を行うことができる。果物２０の成長過程で雨や雪などが降り得るが、第１の密着固定部１４０及び第２の密着固定部１５０では十分に密封できないので、雨や雪が袋胴体１１０の内部に染み込むこともある。
【００５９】
したがって、互いに結合された第１の突出部１６１と第２の突出部１６２が第１の圧着部材１２０及び第２の圧着部材１３０の入口を十分に密封することによって、雨や雪による果物の損傷を防止することができる。
【００６０】
一方、図７は、図２の果物保護用袋における突起部の変形例を示した図である。
【００６１】
本変形例の突起部１４１’、１５１’は締結溝１４４を含むことを特徴とする。
【００６２】
図２の果物保護用袋の突起部１４１、１５１は、収容部１４２、１５２に挿入された後、過度な外力が加えられる場合に抜ける危険がある。よって、突起部１４１’、１５１’と収容部１４２、１５２との締結力を強化させるために、突起部１４１’、１５１’の側部に締結溝１４４を陥没するように形成してもよい。
【００６３】
図７を参照すると、突起部１４１’、１５１’が収容部１４２、１５２に挿入された状態で収容部１４２、１５２を包む第１及び第２の圧着部材の第２の側部１２３、１３３の一部が突起部１４１’、１５１’の側部に形成された締結溝１４４に嵌められることによって、第１の密着固定部１４０及び第２の密着固定部１５０の密着固定力を一層強化させることができる。
【００６４】
上述したように構成された本実施例の果物保護用袋は、投入口に設置された圧着部材に折曲部を形成し、片手でも果物の包装が可能になるように袋の構造を改善することによって、より容易且つ正確に果物を包装し、作業時間を短縮できるという効果を得ることができる。
【００６５】
すなわち、片手で第１の圧着部材１２０と第２の圧着部材１３０の両端部に外力を作用し、折曲部１２１、１３１が外側に折り曲げられながら第１の圧着部材の第１の側部１２２と第２の側部１２３及び第２の圧着部材の第１の側部１３２と第２の側部１３３をそれぞれ密着させた状態で、もう片方の手で第１の密着固定部の突起部１４１と収容部１４２とを結合させ、第２の密着固定部の突起部１５１と収容部１５２とを結合させることによって、果物包装作業を大きな力や難しい技術を用いることなく容易に完了することができる。
【００６６】
果物包装作業が容易であり、熟練者でなくても果物包装作業を行えるので、農繁期の果物包装作業の人手を求めることが容易になり得るという付加的な効果もある。また、作業の容易性によって果物の茎２１を損傷させる危険が減少するので、成長途中で果物２０が落果する危険を減少させることができ、収獲率も高めることができる。
【００６７】
また、上述したように構成された果物保護用袋は、収容部の周囲に多数の切開線を形成することによって、突起部と収容部との結合が容易になり、結合後にも結合力がより強くなり得るという効果を得ることができる。
【００６８】
また、上述したように構成された果物保護用袋は、第１の密着固定部と第２の密着固定部とが一定距離だけオフセットされるように形成されることによって、包装作業前の保管状態で袋の投入口部分が互いに結合されなくなり、果物の包装作業時にも不要な労動の所要を減少できるという効果を得ることができる。
【００６９】
また、上述したように構成された果物保護用袋は、互いに結合された第１の突出部と第２の突出部が第１の圧着部材及び第２の圧着部材の入口を十分に密封することによって、雨や雪による果物の損傷を防止できるという効果を得ることができる。
【００７０】
図８は、本発明の他の実施例に係る果物保護用袋における第１の圧着部材と第２の圧着部材の動作状態を示した図で、図９は、図８のＩＸ―ＩＸ’線断面図である。図８及び図９において、図１〜図７に示した各部材と同一の部材番号によって称される各部材は、同一の構成及び機能を有するものであって、それぞれに対する詳細な説明は省略する。
【００７１】
図８及び図９を参照すると、本実施例の果物保護用袋は、第１の圧着部材１２０と第２の圧着部材１３０に第１の切開部１６６と第２の切開部１６７がそれぞれ形成され、第１の切開部１６６と第２の切開部１６７に嵌められる固定部材１７０を含むことを特徴とする。
【００７２】
前記第１の切開部１６６は、第１の圧着部材の第１の側部１２２及び第２の圧着部材の第１の側部１３２に一定長さだけ切開されて形成され、前記第２の切開部１６７は、第１の圧着部材の第２の側部１２３及び第２の圧着部材の第２の側部１３３に一定長さだけ切開されて形成される。
【００７３】
このとき、第１の切開部１６６は第１の突出部１６１に形成され、第２の切開部１６７は第２の突出部１６２に形成されることが好ましい。
【００７４】
また、本実施例では、第１の密着固定部と第２の密着固定部が固定部材１７０に具現されてもよい。
【００７５】
前記固定部材１７０は、第１の側部１２２、１３２と第２の側部１２３、１３３とが互いに密着するとき、第１の切開部１６６と第２の切開部１６７に共に嵌められる胴体部１７１と、胴体部１７１が第１の切開部１６６と第２の切開部１６７から離脱しないように胴体部１７１の断面より大きく形成された段部１７２とを備える。
【００７６】
図８の（ａ）を参照すると、第１の圧着部材の第１の側部１２２と第２の側部１２３、第２の圧着部材の第１の側部１３２と第２の側部１３３とが互いに密着する前に、固定部材１７０は、第１の圧着部材１２０と第２の圧着部材１３０の第１の切開部１６６に予め嵌められていてもよい。その後、ユーザーが第１の圧着部材１２０と第２の圧着部材１３０の両端部に外力を作用し、第１の側部１２２、１３２と第２の側部１２３、１３３とを互いに密着させることができ、第１の圧着部材の第１の側部１２２と第２の側部１２３、第２の圧着部材の第１の側部１３２と第２の側部１３３とが互いに密着した状態で固定部材１７０が第１の圧着部材１２０と第２の圧着部材１３０の第２の切開部１６７に嵌められると、第１の側部１２２、１３２と第２の側部１２３、１３３とを互いに密着固定させることができる。
【００７７】
固定部材１７０を第１の切開部１６６及び第２の切開部１６７に嵌めることを容易にするために、固定部材１７０の前方部は三角断面を有することが好ましい。
【００７８】
一方、図１０は、本発明のまた他の実施例に係る果物保護用袋の袋胴体を示した図である。図１０において、図１〜図９に示した各部材と同一の部材番号によって称される各部材は、同一の構成及び機能を有するものであって、それぞれに対する詳細な説明は省略する。
【００７９】
図１０を参照すると、袋胴体２１０は、投入口２１１の下側に形成される中央胴体２１２と、中央胴体２１２の両側に配置される側部胴体２１３とを含んでもよい。
【００８０】
本実施例の袋胴体２１０では、側部胴体２１３が中央胴体２１２の内側に折れた状態で保管されてもよい。側部胴体が中央胴体の外側に折れた状態で果物の包装作業が行われる場合、風によって側部胴体が容易に広がり得る。また、側部胴体が広がる場合、風に対する抵抗力が増加し、果物が落果する危険性が大きくなり得る。
【００８１】
したがって、本実施例のように、側部胴体２１３が中央胴体２１２の内側に一段または多段で折れた状態を維持し、果物２０が成長し、その体積が膨脹することによって、側部胴体２１３が漸次膨れ上がりながら中央胴体２１２の側面外側に露出することによって、風による落果危険なしで果物２０を安全に成長できるという効果を得ることができる。
【００８２】
本発明の権利範囲は、上述した実施例及び変形例に限定されるものではなく、添付の特許請求の範囲内で多様な形態の実施例に具現されてもよい。特許請求の範囲で請求する本発明の要旨を逸脱することなく、当該発明の属する技術分野で通常の知識を有する者であれば誰でも変形可能な多様な範囲まで本発明の特許請求の範囲に記載の範囲内にあると見なす。
【符号の説明】
【００８３】
１００：果物保護用袋
１１０：袋胴体
１１１：投入口
１２０：第１の圧着部材
１３０：第２の圧着部材
１２１、１３１：折曲部
１４０：第１の密着固定部
１５０：第２の密着固定部
【図１】
2016178920.tif 000003
【図２】
2016178920.tif 000004
【図３】
2016178920.tif 000005
【図４】
2016178920.tif 000006
【図５】
2016178920.tif 000007
【図６】
2016178920.tif 000008
【図７】
2016178920.tif 000009
【図８】
2016178920.tif 000010
【図９】
2016178920.tif 000011
【図１０】
2016178920.tif 000012